(57)【要約】【課題】「広範な吐水量の範囲」で、快適に使用できる湯水混合水栓を得るための供給量制御装置等提供することを目的とする。【解決手段】湯と水とを混合し、排出可能な温調機構部（温調用弁装置３０）と、温調機構部の２次側に配設され、温調機構部から排出される湯水の吐止水を選択するための吐止水機構部（吐止水用弁装置５０）を備える湯水混合水栓Ｓにおいて、温調機構部の１次側に配設され、温調機構部に供給される湯の流量と水の流量を制御するための供給流量制御装置（供給流量制御用弁装置１０）である。温調機構部に供給される湯の流量及び水の流量を同時に増加させる供給流量増加制御と、温調機構部に供給される湯の流量及び水の流量を同時に減少させる供給流量減少制御と、を実行可能である。【選択図】図１
2008223820.tif 000002
【特許請求の範囲】
【請求項１】
湯と水とを所定の混合割合にて混合し、排出可能な温調機構部と、
前記温調機構部の２次側に配設され、前記温調機構部から排出される湯水を吐水するか否かを選択するための吐止水機構部と、
を備える湯水混合水栓において、前記温調機構部の１次側に配設され、前記温調機構部に供給される湯の流量と前記温調機構部に供給される水の流量とを制御するための供給流量制御装置であって、
前記温調機構部に供給される湯の流量及び前記温調機構部に供給される水の流量を同時に増加させる供給流量増加制御と、前記温調機構部に供給される湯の流量及び前記温調機構部に供給される水の流量を同時に減少させる供給流量減少制御と、を実行可能であることを特徴とする供給流量制御装置。
【請求項２】
給湯部を通じて供給される湯と、給水部を通じて供給される水とを所定の混合割合にて混合し、排出部を通じて排出可能な温調機構部と、
前記温調機構部の２次側に配設され、前記排出部から排出される湯水を吐水するか否かを選択するための吐止水機構部と、
を備える湯水混合水栓において、前記温調機構部の１次側に配設され、前記温調機構部に供給される湯の流量と前記温調機構部に供給される水の流量とを制御するための供給流量制御装置であって、
収納用空間部を有すると共に、給湯源に連絡される湯流入用の固定弁孔と、前記給湯部に連絡される湯流出用の固定弁孔と、給水源に連絡される水流入用の固定弁孔と、前記給水部に連絡される水流出用の固定弁孔と、を前記収納用空間部に向かって開口する状態に備える固定弁体部と、
略軸形状に構成され、前記収納用空間部に回動可能な状態に収納されると共に、前記湯流入用の固定弁孔と前記湯流出用の固定弁孔とを連通させるための湯用連通孔と、前記水流入用の固定弁孔と前記水流出用の固定弁孔とを連通させるための水用連通孔と、を径方向に沿って貫通する状態に備える可動弁体部と、
を具備し、
前記可動弁体部を、一方の回転方向に回転させると、前記湯流入用の固定弁孔と前記湯流出用の固定弁孔との連通度合いと、前記水流入用の固定弁孔と前記水流出用の固定弁孔との連通度合いと、が同時に拡大され、
前記可動弁体部に、他方の回転方向に回転させると、前記湯流入用の固定弁孔と前記湯流出用の固定弁孔との連通度合いと、前記水流入用の固定弁孔と前記水流出用の固定弁孔との連通度合いと、が同時に縮小されることを特徴とする供給流量制御装置。
【請求項３】
前記可動弁体部が、前記湯用連通孔を具備する湯用軸体部と、前記水用連通孔を具備する水用軸体部とを連結して構成されることを特徴とする請求項２に記載の供給流量制御装置。
【請求項４】
前記温調機構部に供給される湯の流量を増減する際の変化率と、前記温調機構部に供給される水の流量を増減する際の変化率とが略等しくされることを特徴とする請求項１乃至３のうちの何れかに記載の供給流量制御装置。
【請求項５】
湯と水とを所定の混合割合にて混合し、排出可能な温調機構部と、
前記温調機構部の２次側に配設され、前記温調機構部から排出される湯水を吐水するか否かを選択するための吐止水機構部と、
前記温調機構部の１次側に配設され、前記温調機構部に供給される湯の流量と前記温調機構部に供給される水の流量とを制御するための供給流量制御部と、
を備える湯水混合水栓であって、
前記供給流量制御部は、前記温調機構部に供給される湯の流量及び前記温調機構部に供給される水の流量を同時に増加させる供給流量増加制御と、前記温調機構部に供給される湯の流量及び前記温調機構部に供給される水の流量を同時に減少させる供給流量減少制御と、を実行可能であることを特徴とする湯水混合水栓。
【請求項６】
給湯部を通じて供給される湯と、給水部を通じて供給される水とを所定の混合割合にて混合し、排出部を通じて排出可能な温調機構部と、
前記温調機構部の２次側に配設され、前記排出部から排出される湯水を吐水するか否かを選択するための吐止水機構部と、
前記温調機構部の１次側に配設され、前記温調機構部に供給される湯の流量と前記温調機構部に供給される水の流量とを制御するための供給流量制御部と、
を備える湯水混合水栓であって、
前記供給流量制御部は、
収納用空間部を有すると共に、給湯源に連絡される湯流入用の固定弁孔と、前記給湯部に連絡される湯流出用の固定弁孔と、給水源に連絡される水流入用の固定弁孔と、前記給水部に連絡される水流出用の固定弁孔と、を前記収納用空間部に向かって開口する状態に備える固定弁体部と、
略軸形状に構成され、前記収納用空間部に回動可能な状態に収納されると共に、前記湯流入用の固定弁孔と前記湯流出用の固定弁孔とを連通させるための湯用連通孔と、前記水流入用の固定弁孔と前記水流出用の固定弁孔とを連通させるための水用連通孔と、を径方向に沿って貫通する状態に備える可動弁体部と、
を具備し、
前記可動弁体部を、一方の回転方向に回転させると、前記湯流入用の固定弁孔と前記湯流出用の固定弁孔との連通度合いと、前記水流入用の固定弁孔と前記水流出用の固定弁孔との連通度合いと、が同時に拡大され、
前記可動弁体部に、他方の回転方向に回転させると、前記湯流入用の固定弁孔と前記湯流出用の固定弁孔との連通度合いと、前記水流入用の固定弁孔と前記水流出用の固定弁孔との連通度合いと、が同時に縮小されることを特徴とする湯水混合水栓。
【発明の詳細な説明】
【技術分野】
【０００１】
本発明は、供給量制御装置、及び、この供給量制御装置（供給量制御部）を備える湯水混合水栓に関する。
【背景技術】
【０００２】
湯水混合水栓としては、図１１に示すように、「温調機構部８０」の２次側に、「止水機能付きの流量調節機構部（以下、単に、「流量調節機構部」という。）８１」を配設したものを例示できる。（特許文献１、以下、「従来例」という。）。かかる従来例において、温調機構部８０の給湯部（給湯口）８０Ｈは、給湯用の配管８５を用いて給湯源（給湯器等）Ｈに接続され、温調機構部８０の給水部（給水口）８０Ｃは、給水用の配管８６を用いて給水源（水道元配管の端末部）に接続される。また、流量調節機構部８１の２次側には、吐水管、シャワー装置等の吐水手段８７が配設される。
【０００３】
温調機構部８０の内部には、給湯部８０Ｈと連通する「給湯側の弁口８８Ｈ」と、給水部（給水口）８０Ｃと連通する「給水側の弁口８８Ｃ」とが設けられると共に、両弁口８８Ｈ、８８Ｃの開口比率（開口面積比）を調節するための弁体８８Ｂが配設される。そして、温調機構部８０に供給される湯と水は、両弁口８８Ｈ、８８Ｃの２次側に位置する混合室８８Ｄ内において、両弁口８８Ｈ、８８Ｃの開口比率（開口面積）に応じた混合割合に混合され、所定温度の混合水とされた後、排出部８８Ｊから排出される。また、給湯側の弁口８８Ｈが全開状態とされ、給水側の弁口８８Ｃが全閉状態とされる場合には、給湯部８０Ｈから供給された湯が、ほぼそのままの温度で排出部８８Ｊから排出され、給水側の弁口８８Ｃが全開状態とされ、給湯側の弁口８８Ｈが全閉状態とされる場合には、給水部８０Ｃから供給された水が、ほぼそのままの温度で排出部８８Ｊから排出される。
【０００４】
更に、従来例に係る湯水混合水栓においては、「温調機構部８０の排出部８８Ｊから排出される湯水を吐水手段８７から吐水するか否か」を、「流量調節機構部８１を構成する開閉弁８１ａ」を開閉操作することによって選択される。また、この開閉弁８１ａの開放度合い（開度）を調節することで、吐水手段８７から吐水される「湯水の流量（吐水量）」が選択される。
【特許文献１】特開平１１−１８１８４９号公報
【発明の開示】
【発明が解決しようとする課題】
【０００５】
この従来例によると、流量調節を行った際に、温調機構部８０内部の圧力（内圧）が予定外に変化し、「吐水手段８７から吐水される湯水の温度」に予定外の変化を生ずることがある。
【０００６】
即ち、湯水混合水栓においては、通常、給湯用の配管８５内の給湯圧ＨＰが、給水用の配管８６内の給水圧ＣＰに比べて低くされる。そして、吐水手段８７からの吐水を停止させる場合（湯水混合水栓を止水状態とする場合）には、開閉弁８１ａが全閉弁状態とされるため、温調機構部８１の内圧が上昇する。つまり、温調機構部８０においては、その２次側に位置する流路が締め切られた状態（閉鎖された状態）となるため、温調機構部８０の内圧が、略「給水圧ＣＰの相当する圧力」にまで上昇することになる。
【０００７】
一方、吐水手段８７から、「通常量の湯水」を吐水する場合には、「開閉弁８１ａ」の開度がある程度の確保され、温調機構部８０の内部が、吐水手段８７によって外部に開放された状態となるため、温調機構部８０の内圧が低下する（略大気圧まで低下する。）。そして、この種の湯水混合水栓を構成する温調機構部８０においては、「使用頻度の高い吐水状態」を考慮して、その設定が行われる。つまり、「吐水手段８８によって通常量の湯水が吐水され、温調機構部８０の内圧が低下している場合」を基準として、「給湯側の弁口８８Ｈと、給水側の弁口８８Ｃとの開口比率と、吐水手段８８から吐水される湯水の温度（吐水温度）と、の関係」が定められる。
【０００８】
ところが、この種の湯水混合水栓において、例えば、湯水の吐水量を「僅かな量」にまで絞り込む場合には、「開閉弁８１ａ」の開度を僅かな量（全閉弁状態に近似した状態）とすることが必要なため、温調機構部８０の内圧が、略「給水圧ＣＰに近似する圧力」にまで上昇することになる。そして、この場合、温調機構部８０の内圧が、給湯圧ＨＰよりも高くなるため、温調機構部８０内に必要量の湯を進入させることが困難となる。このため、「給湯側の弁口８８Ｈと、給水側の弁口８８Ｃとの開口比率」を、「特定の値」としても、当該「開口比率に見合った温度の湯水」を吐水できないおそれがある。即ち、温調機構部８０の内部には、予定外の量（過量）の水が流入し、温調機構部８０の排出部８８Ｊから排出される混合水の温度が、目的温度（設定温度）から変化する（低くなる）おそれがある。
【０００９】
このように、従来例に係る湯水混合水栓においては、流量調節を行った際に、「温調機構部８０に給湯される湯の流量と、温調機構部８０に給水される水の流量との流量バランス」が、「予め設定された流量バランス」から外れ、温調機構部８０から排出される混合水の温度が、設定温度から変化するおそれがある。従って従来例に係る湯水混合水栓においては、使用中に、使用者に不快感を与える可能性がある。
【００１０】
本発明は、上述の課題を解決するものであり、「広範な吐水量の範囲」で、快適に使用できる湯水混合水栓を得るための供給量制御装置と、このような供給量制御装置を備える湯水混合水栓を提供することを目的とする。
【課題を解決するための手段】
【００１１】
請求項１の発明の供給量制御装置は、
湯と水とを所定の混合割合にて混合し、排出可能な温調機構部と、
前記温調機構部の２次側に配設され、前記温調機構部から排出される湯水を吐水するか否かを選択するための吐止水機構部と、
を備える湯水混合水栓において、前記温調機構部の１次側に配設され、前記温調機構部に供給される湯の流量と前記温調機構部に供給される水の流量とを制御するための供給流量制御装置であって、
前記温調機構部に供給される湯の流量及び前記温調機構部に供給される水の流量を同時に増加させる供給流量増加制御と、前記温調機構部に供給される湯の流量及び前記温調機構部に供給される水の流量を同時に減少させる供給流量減少制御と、を実行可能であることを特徴とする。
【００１２】
請求項１の発明では、供給量制御装置を、温調機構部の１次側（上流側）に配置し、温調機構部に供給される湯の流量と、温調機構部に供給される水の流量とを同時に調節（制御）する。このため、例えば、「微量の湯水を吐水する場合（以下、「微量吐水を行う場合」という。）」においても、温調機構部の１次側にて、温調機構部に供給される湯の流量と、温調機構部に供給される水の流量とを同時に減少させることができる。よって、「微量吐水を行う場合」等においても、「温調機構部の内部に過量の水が流入する可能性」を低くできるため、「吐水流量の調節等に伴って、湯水の吐水温度に予定外の変化を生じさせること」を抑制できる。従って、請求項１の発明の供給量制御装置を用いると、「広範な吐水量の範囲」で、快適に使用できる湯水混合水栓を得ることができる。
【００１３】
ここで、請求項１の発明においては、温調機構部の１次側に供給量制御装置を配置する構成を採用するため、吐止水機構部から流量調節機能を排除することができる。このため、「湯水の吐水量」と、「温調機構部の２次側の流路の開閉度合い」とを無関係なものとできる。例えば、湯水の吐水中においては、「湯水の吐水量」に関わらず、「温調機構部の２次側を、十分に大気開放すること」で、「温調機構部」の内圧を常時一定値としたり、一定値に近づけることができる。そして、この場合、「微量吐水を行う場合」において、「温調機構部の内部に過量の水が流入する可能性」を、より低くできるため、「吐水流量の調節等に伴って、湯水の吐水温度に予定外の変化を生じさせること」をより確実に抑制できる。
【００１４】
請求項２の発明の供給量制御装置は、
給湯部を通じて供給される湯と、給水部を通じて供給される水とを所定の混合割合にて混合し、排出部を通じて排出可能な温調機構部と、
前記温調機構部の２次側に配設され、前記排出部から排出される湯水を吐水するか否かを選択するための吐止水機構部と、
を備える湯水混合水栓において、前記温調機構部の１次側に配設され、前記温調機構部に供給される湯の流量と前記温調機構部に供給される水の流量とを制御するための供給流量制御装置であって、
収納用空間部を有すると共に、給湯源に連絡される湯流入用の固定弁孔と、前記給湯部に連絡される湯流出用の固定弁孔と、給水源に連絡される水流入用の固定弁孔と、前記給水部に連絡される水流出用の固定弁孔と、を前記収納用空間部に向かって開口する状態に備える固定弁体部と、
略軸形状に構成され、前記収納用空間部に回動可能な状態に収納されると共に、前記湯流入用の固定弁孔と前記湯流出用の固定弁孔とを連通させるための湯用連通孔と、前記水流入用の固定弁孔と前記水流出用の固定弁孔とを連通させるための水用連通孔と、を径方向に沿って貫通する状態に備える可動弁体部と、
を具備し、
前記可動弁体部を、一方の回転方向に回転させると、前記湯流入用の固定弁孔と前記湯流出用の固定弁孔との連通度合いと、前記水流入用の固定弁孔と前記水流出用の固定弁孔との連通度合いと、が同時に拡大され、
前記可動弁体部に、他方の回転方向に回転させると、前記湯流入用の固定弁孔と前記湯流出用の固定弁孔との連通度合いと、前記水流入用の固定弁孔と前記水流出用の固定弁孔との連通度合いと、が同時に縮小されることを特徴とする。
【００１５】
請求項２の発明の供給量制御装置は、請求項１の発明の供給量制御装置の具体例を示している。そして、この請求項２の発明の供給量制御装置は、固定弁体部と、可動弁体部とを用いた簡易な構造を備えつつ、請求項１の発明の供給量制御装置の同様な効果（機能）を得ることができる。尚、請求項２の発明においても、「吐止水機構部から流量調節機能を排除すること」で、「湯水の温度に予定外の変化を生ずること」をより確実に抑制できる。
【００１６】
請求項２の発明及び後述する請求項６の発明の「固定弁体部」としては、例えば、筒形体とされると共に、「略円柱形（段差を有してもよい。）の空間形状に構成された収納用空間部」を具備するものを例示できる。また、この固定弁体部の外形も種々選択でき、例えば、略直方体形状（略立方体形状も含む。）や、略円柱形状等を例示できる。また、請求項２の発明及び後述する請求項６の発明の「固定弁体部」においては、「湯流入用の固定弁孔」の２次側の端部と、「水流入用の固定弁孔」の２次側の端部と、が収納用空間部に向かって開口し、「湯流出用の固定弁孔」の１次側の端部と、「水流出用の固定弁孔」の１次側の端部とが収納用空間部に向かって開口する。
【００１７】
請求項３の発明の供給流量制御装置は、請求項２に記載の供給流量制御装置において、
前記可動弁体部が、前記湯用連通孔を具備する湯用軸体部と、前記水用連通孔を具備する水用軸体部とを連結して構成されることを特徴とする。
【００１８】
請求項３の発明では、可動弁体部を分割タイプとするため、可動弁体部の汎用性が高められる。例えば、「湯用連通孔のサイズが異なる複数の湯用軸体部」を用意したり、「水用連通孔のサイズが異なる複数の水用軸体部」を用意する。そして、適用対象となる湯水混合水栓の特性や、湯水混合水栓の設置状況に応じて、好適な湯用軸体部と、好適な水用軸体部とを組み合わせて使用することができるからである。例えば、給水圧が低くなり易い、マンションの上層階において、「水用連通孔のサイズが大きな水用軸状部」を使用することで、この低い給水圧にも、的確に対処することができる。
【００１９】
請求項４の発明の供給流量制御装置は、請求項１乃至３のうちの何れかに記載の供給流量制御装置において、
前記温調機構部に供給される湯の流量を増減する際の変化率と、前記温調機構部に供給される水の流量を増減する際の変化率とが略等しくされることを特徴とする。
【００２０】
請求項４の発明は、請求項１〜請求項３の発明の具体例を示すものである。この請求項４の発明の供給流量制御装置によると、供給流量増加制御の際には、温調機構部に供給される湯の流量及び温調機構部に供給される水の流量が同じ割合で増加し、供給流量減少制御の際には、供給流量減少制御の際には、温調機構部に供給される湯の流量及び温調機構部に供給される水の流量が同じ割合で減少する。従って、温調機構部における圧力を適正値としたり、適正値に近づけることが、より一層、容易となる。
【００２１】
請求項５の発明の湯水混合水栓は、
湯と水とを所定の混合割合にて混合し、排出可能な温調機構部と、
前記温調機構部の２次側に配設され、前記温調機構部から排出される湯水を吐水するか否かを選択するための吐止水機構部と、
前記温調機構部の１次側に配設され、前記温調機構部に供給される湯の流量と前記温調機構部に供給される水の流量とを制御するための供給流量制御部と、
を備える湯水混合水栓であって、
前記供給流量制御部は、前記温調機構部に供給される湯の流量及び前記温調機構部に供給される水の流量を同時に増加させる供給流量増加制御と、前記温調機構部に供給される湯の流量及び前記温調機構部に供給される水の流量を同時に減少させる供給流量減少制御と、を実行可能であることを特徴とする。
【００２２】
請求項５の発明は、請求項１の発明の供給量制御装部（供給量制御装置）を備える湯水混合水栓に関するものであり、請求項１の発明と同様な効果を得ることができる。尚、請求項５の発明においても、「吐止水機構部から流量調節機能を排除すること」で、「湯水の温度に予定外の変化を生ずること」をより確実に抑制することができる。
【００２３】
請求項６の発明の湯水混合水栓は、
給湯部を通じて供給される湯と、給水部を通じて供給される水とを所定の混合割合にて混合し、排出部を通じて排出可能な温調機構部と、
前記温調機構部の２次側に配設され、前記排出部から排出される湯水を吐水するか否かを選択するための吐止水機構部と、
前記温調機構部の１次側に配設され、前記温調機構部に供給される湯の流量と前記温調機構部に供給される水の流量とを制御するための供給流量制御部と、
を備える湯水混合水栓であって、
前記供給流量制御部は、
収納用空間部を有すると共に、給湯源に連絡される湯流入用の固定弁孔と、前記給湯部に連絡される湯流出用の固定弁孔と、給水源に連絡される水流入用の固定弁孔と、前記給水部に連絡される水流出用の固定弁孔と、を前記収納用空間部に向かって開口する状態に備える固定弁体部と、
略軸形状に構成され、前記収納用空間部に回動可能な状態に収納されると共に、前記湯流入用の固定弁孔と前記湯流出用の固定弁孔とを連通させるための湯用連通孔と、前記水流入用の固定弁孔と前記水流出用の固定弁孔とを連通させるための水用連通孔と、を径方向に沿って貫通する状態に備える可動弁体部と、
を具備し、
前記可動弁体部を、一方の回転方向に回転させると、前記湯流入用の固定弁孔と前記湯流出用の固定弁孔との連通度合いと、前記水流入用の固定弁孔と前記水流出用の固定弁孔との連通度合いと、が同時に拡大され、
前記可動弁体部に、他方の回転方向に回転させると、前記湯流入用の固定弁孔と前記湯流出用の固定弁孔との連通度合いと、前記水流入用の固定弁孔と前記水流出用の固定弁孔との連通度合いと、が同時に縮小されることを特徴とする。
【００２４】
請求項６の発明は、請求項２の発明の供給量制御部（供給量制御装置）を備える湯水混合水栓に関するものであり、請求項２の発明と同様な効果を得ることができる。尚、請求項６の発明においても、「吐止水機構部から流量調節機能を排除すること」で、「湯水の温度に予定外の変化を生ずること」をより確実に抑制することができる。また、請求項６の発明の「供給流量制御部」においては、前記可動弁体部が、前記湯用連通孔を具備する湯用軸体部と、前記水用連通孔を具備する水用軸体部とを連結して構成されてもよい（以下、「応用発明」という。）
【００２５】
また、請求項５の発明、請求項６の発明、及び、応用発明のうちの何れかの発明の供給流量制御部において、温調機構部に供給される湯の流量を増減する際の変化率と、前記温調機構部に供給される水の流量を増減する際の変化率とが略等しくされてもよい。
【００２６】
ここで、本明細書において、「混合水」とは、「湯（給湯源から供給された湯）」及び「水（給水源から供給された水）を混合して生成される「湯水」を指す。また、本明細書の「湯水」とは、湯水混合水栓で取り扱う「流体」の総称を示している。つまり、（１）給湯源から供給されたまま湯（水が混合されていない湯）と、（２）給水源から供給されたまま水（湯が混合されていない湯）と、（３）給湯源から供給された湯と、給水源から供給された水とを混合して生成される混合水と、を総称するものである。
【００２７】
また、本明細書において、「温調機構部」の態様は種々選択でき、サーモスタットタイプ、摺動ディスクタイプ、２ハンドルタイプ等の種々の混合弁（温調機構部）を例示できる。また、本明細書において、「吐止水機構部」の態様は種々選択でき、プッシュボタンタイプ、摺動ディスクタイプ、ハンドルタイプ、電磁タイプ等の吐止水弁を例示できる。更に、本明細書において、「吐止水機構部」は、吐水流路を切り換える切換機能を備えてもよい。つまり、適用対象となる湯水混合水栓が、複数の吐水手段（例えば、吐水管とシャワー設備）を備える場合において、「吐止水機構部」によって、吐止水の選択と共に、使用する吐水手段の選択を行ってもよい。
【００２８】
尚、本明細書において、「供給量制御装置（供給量制御部）」が、止水機能を備えるか否かを特に問わないが、止水機能を備えない方が、湯水混合水栓の使用勝手が向上する。蓋し、止水機能を備える部分を、１カ所（吐止水機構部）のみとた方が、湯水混合水栓の使用勝手が向上するからである。また、本明細書において、吐止水機構部が流量調節機能を備えるか否かを特に問わないが、吐止水機構部から流量調節機能を排除することで、吐止水機構部の構造の単純化を図ることができる。
【発明の効果】
【００２９】
以上のように、請求項１〜請求項４の各発明によると、広範な「吐水量の範囲」で、快適に使用できる湯水混合水栓を得るための供給量制御装置を得ることができる。また、請求項５及び請求項６の各発明によると、広範な「吐水量の範囲」で、快適に使用できる湯水混合水栓を得ることができる。
【発明を実施するための最良の形態】
【００３０】
次に、本各発明の最良の形態（以下、「実施例」という。）を図面に従って詳細に説明する。
【００３１】
本実施例に係る湯水混合水栓Ｓは、図１に示すように、供給流量制御用弁装置１０と、温調用弁装置３０と、吐止水用弁装置５０と、カラン６０と、を備えている。
【００３２】
供給流量制御用弁装置１０は、各請求項の発明の「供給流量制御装置（供給流量制御部）」の具体例を構成するものであり、図２に示すように、ボディ１１と、スピンドル１２と、流量制御用ハンドル１３とを備えている。
【００３３】
ボディ１１は、「固定弁体部」の具体例を構成するものであり、図２及び図３に示すように、外形が略直方体とされている。このボディ１１は、第１の側面部１１ａと、第２の側面部１１ｂと、第３の側面部１１ｃと、第４の側面部１１ｄと、を備えている。また、第１の側面部１１ａと、第２の側面部１１ｂは、ボディ１１の長手方向に沿って表裏の関係にあり、第３の側面部１１ｃと、第４の側面部１１ｄがボディ１１の短手方向に沿って表裏の関係にある。
【００３４】
ボディ１１は、図３に示すように、「その長手方向に沿って貫通して、第１の側面部１１ａ、及び、第２の側面部１１ｂで開口する状態」の収納用空間部１１ｅを備えている。この収納用空間部１１ｅは略円柱形の空間部であり、軸心を「ボディ１１の長手方向に沿った軸心」に一致させた状態とされている。また、収納用空間部１１ｅは、その軸心方向に沿った複数箇所（３カ所）において、内径を段差状に変化させている。
【００３５】
ボディ１１は、湯流入用の貫通孔１１ｆと、水流入用の貫通孔１１ｇとを、第３の側面部１１ｃと収納用空間部１１ｅとで開口する状態に備えている。また、これらの貫通孔１１ｆ、１１ｇは、ボディ１１の長手方向に沿って所定の間隔をおいて設けられると共に、軸心の方向が、ボディ１１の短手方向に向けられている。
【００３６】
また、ボディ１１は、湯流出用の貫通孔１１ｊと、水流出用の貫通孔１１ｋとを、第４の側面部１１ｄと収納用空間部１１ｅとで開口する状態に備えている。更に、これらの貫通孔１１ｊ、１１ｋも、ボディ１１の長手方向に沿って所定の間隔をおいて設けられると共に、軸心の方向が、ボディ１１の短手方向に向けられている。
【００３７】
更に、湯流入用の貫通孔１１ｆと湯流出用の貫通孔１１ｊは、ボディ１１の短手方向に沿って位置合わせされ、水流入用の貫通孔１１ｇと水流出用の貫通孔１１ｋも、ボディ１１の短手方向に沿って位置合わせされている。そして、何れの貫通孔１１ｆ、１１ｇ、１１ｊ、１１ｋも、軸心方向に沿った中間位置で内径を段差状に変化させている。つまり、これらの貫通孔１１ｆ、１１ｇ、１１ｊ、１１ｋにおいて、収納用空間部１１ｅに近接する側の部分が、「内径の小さな小径部」とされ、収納用空間部１１ｅに離間する側の部分が、「内径の大きな大径部」とされている。また、何れの貫通孔１１ｆ、１１ｇ、１１ｊ、１１ｋにおいても、大径部の内壁部に雌ネジ部が設けられている。
【００３８】
図３に示すように、湯流入用の貫通孔１１ｆの大径部は、湯流入用の接続口Ｌ１を構成し、湯流入用の貫通孔１１ｆの小径部は、湯流入用の固定弁孔Ｂ１を構成している。このうち、湯流入用の接続口Ｌ１には、給湯管１Ｈの端末部（２次側の端部）が接続（螺合）されている（図１を参照）。尚、給湯管１Ｈの始端部（１次側の端部）は、給湯源（給湯器であって、図示を省略する。）に接続され、給湯管１Ｈの端末部側には、給湯側の止水栓２Ｈが介在されている。
【００３９】
図３に示すように、水流入用の貫通孔１１ｇの大径部は、水流入用の接続口Ｌ２を構成し、水流入用の貫通孔１１ｇの小径部は、水流入用の固定弁孔Ｂ２を構成している。このうち、水流入用の接続口Ｌ１には、給水管１Ｗの端末部（２次側の端部）が接続（螺合）されている（図１を参照）。尚、給水管１Ｗの始端部（１次側の端部）は、給水源に接続され、給水管１Ｗの端末部側には、給水側の止水栓２Ｗが介在されている。
【００４０】
図３に示すように、湯流出用の貫通孔１１ｊの大径部は、湯流出用の接続口Ｌ３を構成し、湯流出用の貫通孔１１ｊの小径部は、湯流出用の固定弁孔Ｂ３を構成している。このうち、湯流出用の接続口Ｌ３には、副給湯管３Ｈの始端部（１次側の端部）が接続（螺合）されている（図１を参照）。尚、副給湯管１Ｈの端末部は、後述する温調用弁装置３０の給湯口３０Ｈに接続されている。
【００４１】
図３に示すように、水流出用の貫通孔１１ｋの大径部は、水流出用の接続口Ｌ４を構成し、水流出用の貫通孔１１ｋの小径部は、水流出用の固定弁孔Ｂ４を構成している。このうち、水流出用の接続口Ｌ４には、副給水管３Ｗの始端部（１次側の端部）が接続（螺合）されている（図１を参照）。尚、副給水管１Ｗの端末部は、後述する温調用弁装置３０の給水口３０Ｃに接続されている。
【００４２】
スピンドル１２は、可動弁体部の具体例を構成するものであり、図４及び図５に示すように、湯用軸体部１２Ａと、水用軸体部１２Ｂと連結し、一体化して構成されている。このスピンドル１２は、軸心方向に沿った一端側に、雄型のセレーション１２ｃを備え、他端部側に、抜け止め用溝１２ｄが周回状に設けられている。また、スピンドル１２の一端面においては取付穴１２ｈが開口し、この取付穴１２ｈの内壁には、雌ネジ部１２ｉが設けられている。
【００４３】
このスピンドル１２には、軸心方向に沿った中間部に、第１のシール用溝１２ｍと、第２のシール用溝１２ｎと、第３のシール用溝１２ｐとが周回状に設けられている。つまり、第１のシール用溝１２ｍと、第２のシール用溝１２ｎと、第３のシール用溝１２ｐとが、スピンドル１２の一端部側から他端部側に向かって、所定の間隔をおいて設けられている。
【００４４】
また、このスピンドル１２において、第１のシール用溝１２ｍと、第２のシール用溝１２ｎとの間に位置する部位には水用連通孔１２ｒが設けられ、第２のシール用溝１２ｎと第３のシール用溝１２ｐとの間に位置する部位には湯用連通孔１２ｓが設けられている。この水用連通孔１２ｒ及び湯用連通孔１２ｓは、スピンドル１２を、その径方向（直径方向）に貫通する状態に設けられ、開口部の断面が略円形とされている。また、水用連通孔１２ｒ及び湯用連通孔１２ｓの軸心は平行とされると共に、「水用連通孔１２ｒ及び湯用連通孔１２ｓの軸心同士の間隔」は、「湯流入用の固定弁孔Ｂ１及び水流入用の固定弁孔Ｂ２の中心部同士の間隔」と等しくされている（図２を参照）。
【００４５】
図５に示すように、このスピンドル１２は、水用連通孔１２ｒよりも、他端部寄りに位置する部位で、２分割される。つまり、「水用連通孔１２ｒと、第１のシール用溝１２ｍと、雄型のセレーション１２ｃと、取付穴１２ｈとを含みつつ、スピンドル１２の一端部側を構成する部分」が水用軸体部１２Ｂを構成し、「抜け止め用溝１２ｄと、第３のシール用溝１２ｐと、湯用連通孔１２ｓと、第２のシール用溝１２ｎとを含みつつ、スピンドル１２の他端部側を構成する部分」が湯用軸体部１２Ａを構成する。
【００４６】
また、図５に示すように、湯用軸体部１２Ａの一端面１２１Ａと、水用軸体部１２Ｂの他端面１２１Ｂは略円形に構成され、相互に当接可能とされている。また、湯用軸体部１２Ａの一端面１２１Ａでは、接続用の溝部１２２Ａが略矩形状に開口し、水用軸体部１２Ｂの他端面１２１Ｂでは、接続用の突起部１２２Ｂが突出している。そして、接続用の溝部１２２Ａに接続用の突起部１２２Ｂを嵌合しつつ、一端面１２１Ａ及び他端面１２１Ｂを接着、溶接等することで、湯用軸体部１２Ａ及び水用軸体部１２Ｂが一体化されている。尚、溝部１２２Ａ及び突起部１２２Ｂの縦と横の幅が異なるため、溝部１２２Ａに突起部１２２Ｂを嵌合することで、湯用軸体部１２Ａ及び水用軸体部１２Ｂは、軸心周りに位置合わせされることになる。
【００４７】
このスピンドル１２は、図４（ｂ）に示すように、第１のシール用溝１２ｍと、第２のシール用溝１２ｎと、第３のシール用溝１２ｐとにシール部材（パッキン）Ｐが装着された後、図２に示すように、収納用空間部１１ｅに挿入される。
【００４８】
このとき、図２に示すように、湯用連通孔１２ｓが、湯流入用の固定弁孔Ｂ１とボディ１１の短手方向に沿って位置合わせされると共に、水用連通孔１２ｒが水流入用の固定弁孔Ｂ２とボディ１１の短手方向に沿って位置合わせされる。また、「スピンドル１２の抜け止め用溝１２ｄ」が、ボディ１１の「第１の側面部１１ａ」から露呈し、「スピンドル１２の一端部側の部分（スピンドル１２の全長の約２／５の部分）１２ｖが、ボディ１１の「第２の側面部１１ｂ」から露呈する。ここで、第１の側面部１１ａ及び第２の側面部１１ｂは、前述のように、表裏の関係にある面であるが、第１の側面部１１ａは、湯流入用の貫通孔１１ｆ及び水流入用の貫通孔１１ｇのうちの湯流入用の貫通孔１１ｆに近い側の面であり、第２の側面部１１ｂは、湯流入用の貫通孔１１ｆ及び水流入用の貫通孔１１ｇのうちの水流入用の貫通孔１１ｇに近い側の面である。
【００４９】
ボディ１１の「第１の側面部１１ａ」から露呈する抜け止め用溝１２ｄには、止め輪（Ｃリング若しくはＥリング等）１２ｗが装着され、スピンドル１２の一端部側の部分１２ｖには、流量制御用ハンドル１３が装着される。この装着に際しては、スピンドル１２の「雄型のセレーション１２ｃ」が、流量制御用ハンドル１３の「雌型のセレーション１３ｃ」にセレーション嵌合される。また、取付穴１２ｈに螺合されるビス１３ｅによって、流量制御用ハンドル１３がスピンドル１２に固定される。
【００５０】
このように、スピンドル１２が装着されると、図２に示すように、各シール用溝１２ｍ、１２ｎ、１２ｐに装着されたシール部材（パッキン）Ｐが、ボディ１１の内壁部（収納用空間部１１ｅを構成する内壁部）に水密状に当接する。このとき、湯流入用の固定弁孔Ｂ１及び湯流出用の固定弁孔Ｂ３は、第１のシール用溝１２ｍに装着されたシール部材（パッキン）Ｐと、第２のシール用溝１２ｎに装着されたシール部材（パッキン）Ｐとによって両脇を挟まれた状態となる。また、水流入用の固定弁孔Ｂ２及び水流出用の固定弁孔Ｂ３は、第２のシール用溝１２ｎに装着されたシール部材（パッキン）Ｐと、第３のシール用溝１２ｐに装着されたシール部材（パッキン）Ｐとによって両脇を挟まれた状態となる。
【００５１】
本供給流量制御用弁装置１０においては、流量制御用ハンドル１３を回動操作すると、スピンドル１２はボディ１１に支持された状態で回動することができる。また、図６（ａ）及び（ｂ）に示すように、湯流入用の固定弁孔Ｂ１と湯流出用の固定弁孔Ｂ３とは、湯用連通孔１２ｓを介して連通可能とされ、水流入用の固定弁孔Ｂ２と水流出用の固定弁孔Ｂ４とは、水用連通孔１２ｒを介して連通可能とされる。
【００５２】
本供給流量制御用弁装置１０においては、流量制御用ハンドル１３（スピンドル１２）を一方の回転方向に回転操作すると、図６（ａ）に示すように、湯流入用の固定弁孔Ｂ１と湯流出用の固定弁孔Ｂ３との連通度合いと、水流入用の固定弁孔Ｂ２と水流出用の固定弁孔Ｂ４との連通度合いと、が同時に、しかも、同じ変化率（拡大率）で拡大する（つまり、本供給流量制御用弁装置１０が、請求項１等に示す「供給流量増加制御」を実行する。）。また、流量制御用ハンドル１３（スピンドル１２）を他方の回転方向に回転操作すると、図６（ｂ）に示すように、湯流入用の固定弁孔Ｂ１と湯流出用の固定弁孔Ｂ３との連通度合いと、水流入用の固定弁孔Ｂ２と水流出用の固定弁孔Ｂ４との連通度合いと、が同時に、しかも、同じ変化率（減少率）で減少する（つまり、本供給流量制御用弁装置１０が、請求項１等に示す「供給流量減少制御」を実行する。）。
【００５３】
尚、本供給流量制御用弁装置１０は、規制手段Ｋ１、Ｋ２によって、スピンドル１２の回動範囲を規制し、湯流入用の固定弁孔Ｂ１と湯流出用の固定弁孔Ｂ３とが常時連通すると共に、水流入用の固定弁孔Ｂ２と水流出用の固定弁孔Ｂ４ととが常時連通するようにしている。つまり、流量制御用ハンドル１３を一方の回転方向に回転操作した場合、湯流入用の固定弁孔Ｂ１と湯流出用の固定弁孔Ｂ３との連通度合いが最大となり、水流入用の固定弁孔Ｂ２と水流出用の固定弁孔Ｂ４との連通度合いが最大となったところで、規制手段Ｋ１が作用する。このため、「流量制御用ハンドル１３の一方の回転方向への回転操作量」を更に増加させることができない。また、流量制御用ハンドル１３を他方の回転方向に回転操作した場合、湯流入用の固定弁孔Ｂ１と湯流出用の固定弁孔Ｂ３との連通度合いが最小となり、水流入用の固定弁孔Ｂ２と水流出用の固定弁孔Ｂ４との連通度合いが最小となったところで、規制手段Ｋ２が作用する。このため、「流量制御用ハンドル１３の他方の回転方向への回転操作量」を更に増加させることができない。
【００５４】
温調用弁装置３０は、温調機構部の具体例を構成するものであり、図１に示すように、供給流量制御用弁装置１０の２次側に配設されている。この温調用弁装置３０は、図７に示すように、ボディ３０Ａと、このボディ３０Ａ内に挿入された装置本体３０Ｂと、温調ハンドルＧと、を備えている。
【００５５】
ボディ３０Ａは、給湯口３０Ｈと、給水口３０Ｃと、排出口３０Ｊとを備えている（図１を参照）。ここで、給湯口３０Ｈは給湯部の具体例を構成し、給水口３０Ｃは給水部の具体例を構成すると共に、排出口３０Ｊは排出部の具体例を構成する。また、ボディ３０Ａの内壁部には、水室３１ｗ及び湯室３１ｈを構成するための凹部が設けられている。尚、湯室３１ｈは給湯口３０Ｈ（図１を参照）に連絡され、水室３１ｗは給水口３０Ｃ（図１を参照）に連絡されている。また、排出口３０Ｊには、連絡管５の始端部（１次側の端部）が接続（螺合）されている（図１を参照）。更に、この連絡管５の端末部は、後述する吐止水用弁装置５０の取入口５０ａに接続されている（図１を参照）。
【００５６】
装置本体３０Ｂは、温度設定部３５と、サーモスタット部３６とを直列に配置して構成されている。このうち、温度設定部３５は、固定筒３５ａ、可動筒３５ｂと、温調操作軸３５ｃと、ストッパー３５ｄとを備えている。また、固定筒３５ａと可動筒３５ｂとは螺子嵌合され、可動筒３５ｂは固定筒３５ａ内を螺進可能とされている。更に、可動筒３５ｂと、温調操作軸３５ｃとはセレーション嵌合され、両者は一体で回動可能とされている。また、ストッパー３５ｄは、前面側を大小２つのコイルスプリング３５ｅ、３５ｆで押圧され、背面側を抜け止め用のＣリング３５ｇで押さえ込まれた状態で、可動筒３５ｂの後端側（温調ハンドルＧと離間する側）に挿入されている。そして、この温度設定部３５では、温調ハンドルＧを回動操作すると、可動筒３５ｂが回動しながら左右にスライドする。このとき、ストッパー３５ｄも可動筒３５ｂに連動して左右にスライドし、所望の位置に移動する。
【００５７】
サーモスタット部３６は、サーモハウジング３６ａと、サーモエレメント３６ｂと、混合弁３６ｃと、支持筒部３６ｄとを備えている。このうち、サーモハウジング３６ａは、後端部に向かって外径が段差状に縮径される筒状体を用いて構成されている。更に、内周面には、水室３１ｗに連絡される水弁口３６ｊと、湯室３１ｈに連絡される湯弁口３６ｋが設けられている。また、前端側の開口部には、挿通孔を備えた蓋体３６ｍが装着されている。更に、サーモハウジング３６ａの後端部が、排出口３０Ｊに連絡されている。
【００５８】
サーモエレメント３６ｂは、サーモハウジング３６ａ内に挿入されており、幅太の鍔部３６ｐの両脇に、管状部３６ｑと感温部３６ｔを備える。そして、感温部３６ｔの内部には温度変化に伴い膨張・伸縮するワックスが充填され、このワックスの膨張・伸縮に伴い、管状部３６ｑの先端より、ピストン３６ｒが出没動する構造となっている。また、管状部３６ｑの先端側は、蓋体３６ｍの挿通孔を通過してサーモハウジング３６ａの外部へと露出している。そして、ピストン３６ｒの先端が前述のストッパー３５ｄの背面に当接している。また、混合弁３６ｃは略円筒状の外形を備え、軸線位置に軸挿通部３６ｓが配置されている。そして、軸挿通部３６ｓに管状部３６ｑを挿通させながら、この管状部３６ｑの根元側に取着されている。
【００５９】
支持筒部３６ｄは、前端側の外径がテーパー状に小さくされ、後端側の外径が段差状に小さくされた略筒状体を用いて構成されている。そして、内部に感温部３６ｔを遊入した状態で、サーモエレメント３６を弾性的に支持している。即ち、支持筒部３６ｄの前端面が鍔部３６ｐの背面に接続され、後端側の周回状の段部３６ｕに、戻しスプリング３６ｖの前端が圧縮状態で当接している。そして、戻しスプリング３６ｖの後端が、サーモハウジング３６ａ後端側の内壁面に配設されたＣリング３６ｚで押さえ込まれている。このため、混合弁３６ｃはサーモエレメント３６ｂと一体となり、湯弁口３６ｋを広げる方向に付勢されている。
【００６０】
また、支持筒部３６ｄの前端側の傾斜状の壁部３６１ｄには湯水通過孔（図示を省略）が設けられている。このため、水弁口３６ｊより流入する水と、湯弁口３６ｋより流入する水が適宜混合されながら、この湯水通過孔を通じて、支持筒部３６ｄの内周面と、感温部３６ｔの外周面との間に形成される流路、即ち、湯水混合流路Ｙに流入し、排出口３０Ｊに流れ込む。
【００６１】
以上の温調用弁装置３０では、温調ハンドルＧを回動操作し、ストッパー３５ｄを設定温度に対応する位置に到達させ、ピストン３６ｒの先端の基準面を設定する。そして、湯水混合流路Ｙを通過する湯水の温度と、設定温度との間にずれを生じた場合には、感温部３６ｔ内のワックスが適宜、膨張・伸縮する。これにより、ピストン３６ｒの出没量が調整され、混合弁３６ｃがサーモエレメント３６と一体で左右にスライドし、水弁口３６ｊ及び湯弁口３６ｋの開口比率が修正され、湯水の温度が設定温度に保たれる。また、この温調用弁装置３０においては、副給湯管３Ｈを通じて給湯口３０Ｈに到達する湯の流量と、副給水管３Ｗを通じて給水口３０Ｃに到達する水の流量とが、同時に増加したり、減少する。
【００６２】
吐止水用弁装置５０は、吐止水機構部の具体例を構成するものであり、図１に示すように、温調用弁装置３０の２次側に配設されている。この吐止水用弁装置５０は、所謂「パイロット式の吐止水弁」であり、吐水量の調節を行わずに、吐止水の選択を行うものである。また、吐止水用弁装置５０は、図８にその概略を示すように、取入口５０ａと取出口５０ｂとを備え、取出口５０ｂには、「吐水手段の具体例を構成するカラン６０」が接続されている。
【００６３】
この吐止水用弁装置５０は、図８に示すように、ボディ５１と、ロッド５０Ｌと、パイロット弁体５０Ｐと、復帰バネ（コイルバネ）５３と、主弁体５６と、パイロット弁体保持機構（図示を省略）と、操作ボタン５５と、支持用バネ（コイルバネ）５５Ｂと、ボタン支持体５７とを備えている。尚、取入口５０ａ及び取出口５０ｂは、ボディ５１に設けられている。
【００６４】
操作ボタン５５は、本体部５５ａと、本体部５５ａの下面から突出する突出部５６ｂとを有している。また、ボタン支持体５７は、平面視で略リング形状に構成される支持面５７ａを、上方に指向する状態に備えている。そして、支持用バネ５５Ｂは、「突出部５６ｂを軸心方向に挿入し、上端部を本体部５５ａ下面の周縁側部分に当接させ、下端部を支持面５７ａに当接させた状態」で、吐止水用弁装置５０に配設されている。そして、本体部５５ａの上面部を下方に押圧すると、操作ボタン５５は、支持用バネ５５Ｂの付勢力に対抗しつつ、下方に移動するが、操作者が、本体部５５ａの上面部への押圧を停止すると、操作ボタン５５は、支持用バネ５５Ｂの付勢力によって、操作前の位置に復帰する。
【００６５】
ロッド５０Ｌは突出部５６ｂの直下に配置され、突出部５６ｂと軸心の位置を同心上に位置合わせしている。また、ロッド５０Ｌの下端部と、パイロット弁体５０Ｐとは一体化されている。更に、この「ロッド５０Ｌ及びパイロット弁体５０Ｐの一体品」に対しては、復帰バネ５３によって、上方に向かう付勢力が加えられる。そして、「ロッド５０Ｌ及びパイロット弁体５０Ｐの一体品」が、復帰バネ５３の付勢力によって上方に動作すると、ロッド５０Ｌの上端部と突出部５６ｂの下端部とが当接するものとされている（図８を参照）。尚、パイロット弁体保持機構（図示を省略）としては、例えば、「ノック式のボールペンに設けられる保持機構」を転用したもの例示することができる。また、本実施例と異なり、ロッド５０Ｌを電気的に上下に駆動させてもよく、この場合、電気的な保持機構を採用することもできる。
【００６６】
ボディ５１の内部において、主弁体５６の下方に位置する部位には、弁座部５１Ｄが設けられいる。また、主弁体５６は、所謂「ダイヤフラム式」の弁体であり、ボディ５１の内部において、弁座部５１Ｄよりも上方に位置する部位に配設されている。また、この主弁体５６は、略中心部にパイロット弁口５６ａを備えると共に、外周側には小孔５６ｓを備えている。そして、この主弁体５６は、弁座部５１Ｄに着座したり、弁座部５１Ｄから離脱して、弁座部５１Ｄの開閉を行う。
【００６７】
ボディ５１の内部において、主弁体５６の上方の部位が背圧室５１Ｐとされている。また、弁座部５１Ｄの１次側の端部に位置する部位が、前述の取入口５０ａに連絡され、弁座部５１Ｄの２次側の端部に位置する部位が、前述の取出口５０ｂに連絡されている。
【００６８】
本湯水混合水栓Ｓでは、「吐止水用弁装置５０の操作ボタン５５」を押圧操作する毎に、弁座部５１Ｄの開閉状態が交互に切り替えられ、吐水状態と止水状態とが交互に実現される。つまり、操作ボタン５５を押す毎に、パイロット弁体５０Ｐがパイロット弁口５６ａに着座する状態と、パイロット弁口５６ａから離脱する状態とがが交互に実現され、これに伴って、弁座部５１Ｄの開放状態と閉鎖状態とが交互に実現され、カラン６０からの湯水の吐止と、止水とが交互に実現される。
【００６９】
即ち、湯水混合水栓Ｓの状態を、吐水状態（図８に示す状態）から止水状態（図９に示す状態）に変更する場合には、操作ボタン５５を下方に押圧する。これにより、ロッド５０Ｌ及びパイロット弁体５０Ｐが下方に押圧され、パイロット弁体５０Ｐがパイロット弁口５６ａに着座する。このとき、パイロット弁体保持機構（図示を省略）が作動して、パイロット弁体５０Ｐがパイロット弁口５６ａに着座した状態が保持される。
【００７０】
このように、パイロット弁体５０Ｐがパイロット弁口５６ａに着座すると、小孔５６ｓを通じて背圧室５１Ｐ内に流入する湯水が、背圧室５１Ｐ内に溜まり、背圧室５１Ｐの圧力を上昇させる。つまり、「小孔５６ｓを通じて背圧室５１Ｐ内に流入した湯水」は、「パイロット弁口５６ａを通じて弁座部５１Ｄの２次側に抜けること」ができなくなるため、背圧室５１Ｐの圧力が上昇する。よって、図９に示すように、主弁体５６が弁座部５１Ｄに着座して、湯水混合水栓Ｓの状態が止水状態に変更される。
【００７１】
一方、湯水混合水栓Ｓの状態を、止水状態から吐水状態に変更する場合には、操作ボタン５５を下方に押圧し、突出部５６ｂの下端部でロッド５０Ｌの上端部を押圧する。これにより、パイロット弁体保持機構（図示を省略）の作動が解除され、パイロット弁体５０Ｐが、パイロット弁口５６ａから離脱する。この結果、「背圧室５１Ｐ内の湯水」が、パイロット弁口５６ａを通じて弁座部５１Ｄの２次側に抜け出るようになり、背圧室５１Ｐ内の圧力が低下する。このため、主弁体５６が、弁座部５１Ｄから離脱して、湯水混合水栓Ｓの状態が吐水状態に変更される。
【００７２】
本実施例の湯水混合水栓Ｓにおいては、温調ハンドルＧを操作することで、「カラン６０から吐水すべき湯水の温度（吐水温度）」が設定される。そして、流量制御用ハンドル１３を操作することで、温調用弁装置３０へ供給される湯の流量と、温調用弁装置３０へ供給される水の流量とが同時に制御される。これにより、「カラン６０から吐水すべき湯水の流量（吐水流量）」が制御される。また、操作ボタン５５を順次、押圧操作すると、湯水混合水栓Ｓが、吐水状態と止水状態とを交互に実現する。
【００７３】
本湯水混合水栓Ｓでは、供給流量制御用弁装置１０を、温調用弁装置３０の１次側に配置し、温調用弁装置３０に供給される湯の流量と水の流量とを同時に調節（制御）する。このため、例えば、微量吐水を行う場合においても、温調用弁装置３０の１次側において、温調用弁装置３０に供給される湯の流量と水の流量とを同時に減少させることができる。
【００７４】
しかも、温調用弁装置３０の１次側に、供給流量制御用弁装置１０を配設することで、吐止水用弁装置５０から、流量調節機能を排除することを可能としている。このため、本湯水混合水栓Ｓが吐水状態にある場合において、「湯水の吐水量」に関わらず、「温調用弁装置３０の１次側」が、同様な程度（十分に大気開放された状態）に開放されるため、「湯水の吐水量」が変更されても、温調用弁装置３０に内圧変化を生ずることを抑制できる。よって、本湯水混合水栓Ｓにおいては、「湯水の吐水量」に「温調用弁装置３０」の内圧を常時一定値としたり、一定値に近づけることができる。
【００７５】
このため、本湯水混合水栓Ｓにおいては、たとえ、微量吐水を行う場合においても、「水弁口３６ｊを通じてサーモスタット部３６に流入する水の流量と、湯弁口３６ｋを通じてサーモスタット部３６に流入する湯の流量の比が、水弁口３６ｊと湯弁口３６ｋとの開口比率等に基づいて、予め定めた値（設定値）」から」「ずれること」が防止される。従って、本湯水混合水栓Ｓによると、「広範な吐水量の範囲」で、快適に使用できる。また、本湯水混合水栓Ｓは、単一の流量制御用ハンドル１３を操作することで、温調用弁装置３０へ給湯される湯の流量と、温調用弁装置３０へ給水される水の流量とを同時に増減できるため、使用勝手に優れている。
【００７６】
尚、本各発明の範囲は前記実施例に示す具体的な態様に限定されず、本各発明の範囲内で種々の変形例を例示できる。即ち、各請求項の発明の「吐止水機構部」は、吐水流路を切り換える切換機能を備えてもよい。例えば、図１０（ａ）の変形例１に示すように、湯水混合水栓Ｓが、吐水手段として、カラン（吐水管）７０と、シャワー設備（シャワーホースと、シャワーヘッド）７１とを備える場合において、吐止水用弁装置（吐止水機構部）５０によって、吐止水の選択と共に、湯水を吐水させる吐水手段の選択を行ってもよい。
【００７７】
また、各請求項の発明において、「吐止水機構部」の操作態様は、実施例に示す「押しボタンタイプ」に限定されない。例えば、「ハンドルを用いて操作されるタイプの吐止水用弁装置」や「レバーを用いて操作されるタイプの吐止水用弁装置」を例示することもできる。また、図１０（ｂ）の変形例２に示すように、電磁弁７６と、人体を検出するためのセンサ７５と、電磁弁７６の駆動を制御するための制御手段（制御回路）７７とを備える吐止水用弁装置７３を例示することもできる。この変形例２においては、センサ７５が、使用者を検出したときに、電磁弁７６が開弁状態となり、湯水混合水栓が吐水状態となる。
【００７８】
更に、各請求項の発明においては、供給流量制御用弁装置（供給流量制御部）を、温調用弁装置（温調機構部）等と一体化してもよいし、別体化としてもよい。但し、後者の別体化する場合は、供給流量制御用弁装置（供給流量制御部）を、「異なるタイプの温調用弁装置（温調機構部）等」の汎用部品として用いることができる。また、温調用弁装置（温調機構部）等が故障等を起こし、取り替えることが必要となった場合にも、供給流量制御用弁装置（供給流量制御部）を、引き続き使用できるという、メリットを生じさせることもできる。
【産業上の利用可能性】
【００７９】
本発明は、例えば、水栓の製造、販売、施工、加工等を行う分野で利用可能である。
【図面の簡単な説明】
【００８０】
【図１】実施例の湯水混合水栓を説明するための概略的な説明図である。
【図２】実施例の供給流量制御用弁装置の横断面図である。
【図３】（ａ）は図２の供給流量制御用弁装置を構成するボディの横断面図であり、（ｂ）は図２の供給流量制御用弁装置を構成するボディの正面図であり、（ｃ）は図２の供給流量制御用弁装置を構成するボディの側面図である。
【図４】（ａ）は図２の供給流量制御用弁装置を構成するスピンドルの平面図であり、（ｂ）は図２の供給流量制御用弁装置を構成するスピンドルの横断面図である。
【図５】図２の供給流量制御用弁装置を構成するスピンドルを分解した状態を示す平面図である。
【図６】（ａ）及び（ｂ）は実施例の供給流量制御用弁装置の機能を説明するための説明図である。
【図７】実施例の温調用弁装置の縦断面図である。
【図８】実施例の吐止水用弁装置を説明するための概略的な説明図である。
【図９】実施例の吐止水用弁装置を説明するための概略的な説明図である。
【図１０】（ａ）は変形例１を説明するための説明図であり、（ｂ）は変形例２を説明するための説明図である。
【図１１】従来例に係る湯水混合水栓を説明するための正面図である。
【符号の説明】
【００８１】
Ｓ；湯水混合水栓、
１０；供給流量制御用弁装置（供給流量制御装置、供給流量制御部）、
１１；ボディ（固定弁体部）
１１ｅ；収納用空間部、
Ｂ１；湯流入用の固定弁孔、
Ｂ２；水流入用の固定弁孔、
Ｂ３；湯流出用の固定弁孔、
Ｂ４；水流出用の固定弁孔、
１２；スピンドル（可動弁体部）、
１２Ａ；湯用軸体部、
１２Ｂ；水用軸体部、
１２ｒ；水用連通孔、
１２ｓ；湯用連通孔、
３０；温調用弁装置（温調機構部）、
３０Ｈ；給湯口（給湯部）、
３０Ｃ；給水口（給水部）、
３０Ｊ；排出口（排出部）、
５０；吐止水用弁装置（吐止水機構部）、
６０；カラン（吐水手段）。
【図１】
2008223820.tif 000003
【図２】
2008223820.tif 000004
【図３】
2008223820.tif 000005
【図４】
2008223820.tif 000006
【図５】
2008223820.tif 000007
【図６】
2008223820.tif 000008
【図７】
2008223820.tif 000009
【図８】
2008223820.tif 000010
【図９】
2008223820.tif 000011
【図１０】
2008223820.tif 000012
【図１１】
2008223820.tif 000013